(57)【要約】      （修正有）【課題】ゴルフクラブとしても、また、杖としても利用できるようにしたゴルフクラブ兼用杖を提供する。【解決手段】ゴルフクラブのシャフト１０の一端に設けたアイアン１１の接地面に滑り止め突起部１３を設け、前記シャフト１０の他端に設けたグリップ１２の端部に補強突起部１４を設けてゴルフクラブ兼用杖として使用する。【選択図】図１
0003222920.tif 000002
【実用新案登録請求の範囲】
【請求項１】
ゴルフクラブのシャフト１０の一端に設けたアイアン１１の接地面１１ａに滑り止め突起部１３を設け、前記シャフト１０の他端に設けたグリップ１２の端部に補強突起部１４を設けてなることを特徴とするゴルフクラブ兼用杖。
【請求項２】
前記アイアン１１の接地面１１ａの滑り止め突起部１３は、前記アイアン１１と一体に複数個を鋳鉄により形成したことを特徴とする請求項１記載のゴルフクラブ兼用杖。
【請求項３】
前記グリップ１２の端部の補強突起部１４は、ゴム製の半球体からなり、この補強突起部１４を前記グリップ１２の端部に接着剤１８で固着したことを特徴とする請求項１又は２記載のゴルフクラブ兼用杖。
【請求項４】
前記アイアン１１は、ライ角が７０度より大きなものからなることを特徴とする請求項１、２又は３記載のゴルフクラブ兼用杖。
【請求項５】
前記アイアン１１は、ロフト角が３０度より小さなものからなることを特徴とする請求項１、２又は３記載のゴルフクラブ兼用杖。
【考案の詳細な説明】
【技術分野】
【０００１】
本考案は、ゴルフクラブを杖として利用できるようにしたゴルフクラブ兼用杖に関するものである。
【背景技術】
【０００２】
ゴルフクラブのシャフトを杖本体とし、この杖本体の上端部に握り部を取り付けて杖として使用する例が知られている（特許文献１）。
この例は、図４に示すように、一端部から他端部へテーパー状に縮径したカーボン製ゴルフクラブのシャフトによって形成した杖本体１と、一端が開口した挿入孔４を有すると共にその挿入孔４に杖本体１の大径側の端部１ｂを挿入して取り付けられた握り部３と、挿入孔４に充填されて握り部３と杖本体１を接着する接着剤５と、挿入孔４の開口部を閉塞する環状のシール材６とによって構成されたものである。
【０００３】
この図４に示した杖は、ゴルフクラブのシャフトを杖本体１とし、この杖本体１の上端部に握り部３取り付けたものであるから、ゴルフクラブとして使用することはできない、という問題があった。
【先行技術文献】
【特許文献】
【０００４】
【特許文献１】実用新案登録第３１４６９８６号公報
【考案の概要】
【考案が解決しようとする課題】
【０００５】
ゴルフ場に杖を持ち込むことは、ゴルファーとしてプライドを許さないし、ルールとして問題がある。杖をついてもゴルフをやりたいと思うゴルファーが増えてきている昨今、本考案は、これを解決しようとするものである。
【課題を解決するための手段】
【０００６】
本考案によるゴルフクラブ兼用杖は、
ゴルフクラブのシャフト１０の一端に設けたアイアン１１の接地面１１ａに滑り止め突起部１３を設け、前記シャフト１０の他端に設けたグリップ１２の端部に補強突起部１４を設けてなることを特徴とする。
【０００７】
前記アイアン１１の接地面１１ａの滑り止め突起部１３は、前記アイアン１１と一体に複数個を鋳鉄により形成したことを特徴とする。
【０００８】
前記グリップ１２の端部の補強突起部１４は、ゴム製の半球体からなり、この補強突起部１４を前記グリップ１２の端部に接着剤１８で固着したことを特徴とする。
【０００９】
前記アイアン１１は、ライ角が７０度より大きなものからなることを特徴とする。
【００１０】
前記アイアン１１は、ロフト角が３０度より小さなものからなることを特徴とする。
【考案の効果】
【００１１】
請求項１記載の考案によれば、
ゴルフクラブのシャフト１０の一端に設けたアイアン１１の接地面１１ａに滑り止め突起部１３を設け、前記シャフト１０の他端に設けたグリップ１２の端部に補強突起部１４を設けてなるので、本考案のゴルフクラブ兼用杖９は、１４本のゴルフクラブの内の１本として常にゴルフバッグに入れて携帯することができる。
ゴルフ場に急な登り坂や下り坂のある傾斜地１６では、グリップ１２を手１５で握ってアイアン１１を地面に接しながら安全に歩行することができる。また、ボールの位置に到達したらゴルフクラブとしても使用できる。
ゴルフ場が平坦地１７であるときは、アイアン１１をグリップとして手１５で握り、グリップ１２の補強突起部１４を平坦地１７に突きながら歩行することで、プレーヤーとしてのプライドを傷つけることなく安心して歩行できる。
【００１２】
請求項２記載の考案によれば、前記アイアン１１の接地面１１ａの滑り止め突起部１３は、前記アイアン１１と一体に複数個を鋳鉄により形成したので、ゴルフクラブとして使用するときの邪魔にならず、また杖として使用するときは滑り止めとして機能する。
【００１３】
請求項３記載の考案によれば、前記グリップ１２の端部の補強突起部１４は、ゴム製の半球体からなり、この補強突起部１４を前記グリップ１２の端部に接着剤１８で固着したので、使用中のクラブに簡単に取り付けることができる。
【００１４】
請求項４記載の考案によれば、前記アイアン１１は、ライ角が７０度より大きなものからなるので、アイアン部分を略水平にして握るためのグリップとして使用できる。
【００１５】
請求項５記載の考案によれば、前記アイアン１１は、ロフト角が３０度より小さなものからなるので、アイアン部分を略垂直にして握るためのグリップとして使用できる。
【図面の簡単な説明】
【００１６】
【図１】（ａ）は、本考案によるゴルフクラブ兼用杖を傾斜地で杖として使用している例を示す説明図、（ｂ）は、本考案によるゴルフクラブ兼用杖を平坦地で杖として使用している例を示す説明図である。
【図２】ゴルフクラブに滑り止め突起部を付けた正面図である。
【図３】ゴルフクラブのグリップに補強突起部を取り付けた一部切り欠いた正面図である。
【図４】従来のゴルフ用シャフトを使用した杖の正面図である。
【考案を実施するための形態】
【００１７】
本考案のゴルフクラブ兼用杖は、
ゴルフクラブのシャフト１０の一端に設けたアイアン１１の接地面１１ａに滑り止め突起部１３を設け、前記シャフト１０の他端に設けたグリップ１２の端部に補強突起部１４を設けてなるものとする。
【００１８】
前記アイアン１１の接地面１１ａの滑り止め突起部１３は、前記アイアン１１と一体に複数個を鋳鉄により形成する。
【００１９】
前記グリップ１２の端部の補強突起部１４は、ゴム製の半球体からなり、この補強突起部１４を前記グリップ１２の端部に接着剤１８で固着する。
【００２０】
前記アイアン１１は、ライ角が７０度より大きなものとする。又は、前記アイアン１１は、ロフト角が３０度より小さなものとする。
【実施例１】
【００２１】
図１（ａ）は、ゴルフクラブに若干の加工をして傾斜地１６を昇降するときにゴルフクラブ兼用杖９として利用している状態を示している。また、図１（ｂ）は、ゴルフクラブに若干の加工をして平坦地１７を歩行するときにゴルフクラブ兼用杖９として利用している状態を示している。
【００２２】
図１（ａ）において、シャフト１０の下端部には、アイアン１１が設けられ、前記シャフト１０の上端部には、グリップ１２が設けられ、ゴルフクラブとしても、また、杖としても使用できるものである。
杖として使用できるように、前記アイアン１１の接地面には、図２に示すように、高さ数ｍｍ程度の２〜３個の滑り止め突起部１３が鋳鉄などでアイアン１１と一体に設けられている。また、番手の短いアイアン１１の場合は、図１（ｂ）に示すように、グリップとして横にして握って使用するときのために、ライ角（θ）は、７０度以上であることが望ましい。
【００２３】
図３に示すように、前記シャフト１０の先端部１０ａには、グリップ１２が圧入接着されている。このグリップ１２は、図１（ａ）に示すように、杖として使用するときのために、通常のゴルフクラブよりもやや太いものが望ましい。前記グリップ１２の蓋部１２ａには空気抜け孔１２ｂが設けられているので、半球体のゴム製の補強突起部１４を取り付けるために、前記補強突起部１４の突片１４ａを圧入して接着剤１８で固着する。
前記シャフト１０は、杖としても利用するため、３３〜３５インチ程度のやや短めのものが用いられる。
【００２４】
以上のように構成されたゴルフクラブ兼用杖９は、１４本のゴルフクラブの内の１本として常にゴルフバッグに入れて携帯することができる。
ゴルフ場に急な登り坂や下り坂のある傾斜地１６では、図１（ａ）のように、グリップ１２を手１５で握ってアイアン１１を地面に接しながら安全に歩行することができる。また、ボールの位置に到達したらゴルフクラブとしても使用できる。
ゴルフ場が平坦地１７であるときは、図１（ｂ）のように、アイアン１１をグリップとして手１５で握り、グリップ１２の補強突起部１４を平坦地１７に突きながら歩行することで、プレーヤーとしてのプライドを傷つけることなく安心して歩行できる。
【００２５】
前記図１（ｂ）に示す実施例では、アイアン１１を略水平にして握るようにしたが、３番アイアン程度の番手の長いアイアン１１の場合、ロフト角（垂直面とフェース面のなす角）の小さなアイアン１１とすることで、このアイアン１１を略垂直にして握るようにすることもできる。
【符号の説明】
【００２６】
１…杖本体、１ｂ…端部、３…握り部、４…挿入孔、５…接着剤、６…シール材、９…ゴルフクラブ兼用杖、１０…シャフト、１０ａ…先端部、１１…アイアン、１１ａ…接地面、１２…グリップ、１２ａ…蓋部、１２ｂ…空気抜け孔、１３…滑り止め突起部、１４…補強突起部、１４ａ…突片、１５…手、１６…傾斜地、１７…平坦地、１８…接着剤。
【図１】
0003222920.tif 000003
【図２】
0003222920.tif 000004
【図３】
0003222920.tif 000005
【図４】
0003222920.tif 000006